(57)【要約】【課題】多分割測光センサに於いて、画素が増えても測光システムを肥大化させず、連写への影響を与えることのないカメラを提供することである。【解決手段】測光回路５１内の多分割測光センサにより、被写界が複数に分割されて被写体の輝度が測定され、その測光データがＳＤＲＡＭ４７に記憶される。Ｂμｃｏｍ５０では、連続して複数の撮影を行う連続撮影モードの場合に、上記多分割測光センサの画素を複数のグループに分け、１回の撮影では１グループのみの測光データを取得し、次の撮影では上記１グループとは別のグループの測光データを取得する。そして、上記複数の撮影で上記複数のグループの全ての測光データを取得するように制御する。【選択図】      図１
2006106200.tif 000002
【特許請求の範囲】
【請求項１】
被写界を複数に分割して被写体の輝度を測定する多分割測光センサと、
上記多分割測光センサから出力される測光データを記憶する記憶手段と、
連続して複数の撮影を行う連続撮影モードの場合に、上記多分割測光センサの画素を複数のグループに分け、１回の撮影では１グループのみの測光データを上記記憶手段から取得し、次の撮影では上記１グループとは別のグループの測光データを上記記憶手段から取得して、上記複数の撮影で上記複数のグループの全ての測光データを上記記憶手段から取得するように制御する制御手段と、
を具備したことを特徴とするカメラ。
【請求項２】
上記制御手段は、上記複数のグループの全ての測光データの取得時に露出パラメータを演算し、シャッタ秒時、絞り値、ＩＳＯ感度の少なくとも１つの撮影パラメータを変更することを特徴とする請求項１に記載のカメラ。
【請求項３】
上記制御手段は、連続して複数の撮影を行わない非連続撮影モードの場合は、１回の撮影で上記多分割測光センサの全画素データを上記記憶手段から取得するように制御することを特徴とする請求項１に記載のカメラ。
【請求項４】
上記複数の撮影の間隔設定時間を検出する検出手段を更に具備し、
上記制御手段は、上記検出手段で検出された撮影間隔が所定時間より短い場合は、上記連続撮影モードの場合の制御を行い、上記撮影間隔が上記所定時間より長い場合は、１回の撮影で上記多分割測光センサの全画素データを上記記憶手段から取得するように制御することを特徴とする請求項１に記載のカメラ。
【請求項５】
撮影の連続性を判定する判定手段を更に具備し、
上記制御手段は、上記連続撮影モードの場合に、上記判定手段により連続性が失われたと判定された時点で、１回の撮影で上記多分割測光センサの全画素データを上記記憶手段から取得するように切り替えて制御することを特徴とする請求項１に記載のカメラ。
【請求項６】
上記制御手段は、初回の撮影では上記多分割測光センサの全画素データを１回で上記記憶手段から取得し、２駒目以降の撮影では上記連続撮影モードの場合の制御を行うことを特徴とする請求項１に記載のカメラ。
【請求項７】
上記制御手段は、連続撮影の速度若しくは撮影間隔に応じて、上記複数のグループの数を増減させることを特徴とする請求項１に記載のカメラ。
【請求項８】
撮影操作を実行するための撮影操作手段と、
上記撮影操作手段が操作されている間に被写界を複数に分割して被写体の輝度を測定する多分割測光センサと、
上記多分割測光センサの出力を記憶する記憶手段と、
上記被写体の像を撮像する撮像素子と、
上記撮影操作手段が操作されている間であって、連続的に複数の撮影を行う連続撮影モードの場合に、上記多分割測光センサの画素を複数のグループに分け、１回目の撮影では第１グループのみの測光データを上記記憶手段から取得し、上記１回目に続く撮影では上記第１グループとは異なる少なくとも１つのグループの測光データを上記記憶手段から取得して、上記複数の撮影で上記複数のグループの全ての測光データを上記記憶手段から取得するように制御する制御手段と、
を具備したことを特徴とするカメラ。
【請求項９】
上記制御手段は、上記複数のグループの全ての測光データの取得時に露出パラメータを演算し、シャッタ秒時、絞り値、ＩＳＯ感度の少なくとも１つの撮影パラメータを変更することを特徴とする請求項８に記載のカメラ。
【請求項１０】
上記制御手段は、上記撮影操作手段が操作されている間に連続的に複数の撮影を行わない非連続撮影モードの場合は、上記１回目の撮影で上記多分割測光センサの全画素データを上記記憶手段から取得するように制御することを特徴とする請求項８に記載のカメラ。
【請求項１１】
上記所定時間内に撮影された駒数をカウントする計数手段を更に具備し、
上記制御手段は、上記計数手段でカウントされた撮影駒数が所定駒数より多い場合は、上記連続撮影モードの場合の制御を行い、上記撮影駒数が上記所定駒数より少ない場合は、上記１回目の撮影で上記多分割測光センサの全画素データを上記記憶手段から取得するように制御することを特徴とする請求項８に記載のカメラ。
【請求項１２】
上記所定時間内の撮影の間隔を検出する検出手段を更に具備し、
上記制御手段は、上記検出手段で検出された撮影間隔が所定時間より短い場合は、上記連続撮影モードの場合の制御を行い、上記撮影間隔が上記所定時間より長い場合は、上記１回目の撮影で上記多分割測光センサの全画素データを上記記憶手段から取得するように制御することを特徴とする請求項８に記載のカメラ。
【請求項１３】
撮影の連続性を判定する判定手段を更に具備し、
上記制御手段は、上記連続撮影モードの場合に、上記判定手段により連続性が失われたと判定された時点で、上記１回目の撮影で上記多分割測光センサの全画素データを上記記憶手段から取得するように切り替えて制御することを特徴とする請求項８に記載のカメラ。
【請求項１４】
上記制御手段は、初回の撮影では上記多分割測光センサの全画素データを１回で上記記憶手段から取得し、２駒目以降の撮影では上記連続撮影モードの場合の制御を行うことを特徴とする請求項８に記載のカメラ。
【請求項１５】
上記制御手段は、連続撮影の速度若しくは撮影間隔に応じて、上記複数のグループの数を増減させることを特徴とする請求項８に記載のカメラ。
【発明の詳細な説明】
【技術分野】
【０００１】
本発明は、連続撮影可能な機能を有するデジタルカメラに関し、より詳細には、連続撮影等の短時間での測光を改良したデジタルカメラに関するものである。
【背景技術】
【０００２】
デジタルカメラに於いては、撮像素子から出力される映像信号に基づいて測光情報を得るように構成されている。しかしながら、撮像素子の蓄積時間が一因となって、高速の連続撮影（連写）を達成することは困難であった。
【０００３】
更に、撮像素子の画素数は増加の一途を辿っているため、測光に要する処理時間も増加傾向にある。この点からも測光処理の時間短縮が望まれている。
【０００４】
このため、撮影中乃至撮影後の一定期間、測光系及び測距系の動作を禁止するようにした技術が知られている（例えば、特許文献１参照）。
【０００５】
また、連続撮影時に於いて、初回のレリーズ前には開放測光を行い、その後は絞り込み測光に切り換える技術が知られている（例えば、特許文献２参照）。
【０００６】
更に、蓄積型測光センサに於いて、連写モードでは測光パラメータを変更する技術が知られている（例えば、特許文献３参照）。
【特許文献１】特開昭５８−１３２７３５号公報
【特許文献２】特開昭５８−１１１０２２号公報
【特許文献３】特開平１０−１７０９７５号公報
【発明の開示】
【発明が解決しようとする課題】
【０００７】
しかしながら、上記特許文献１に記載の技術では、撮影中乃至撮影後の一定時間、測光系及び測距系の動作を禁止して連写速度を上げることは、連写中被写体の輝度が変化しても露出を変化させないことから、長い時間連写を続けるほど、適正露光から外れていくという課題を有している。
【０００８】
また、上記特許文献２に記載のものは、絞りの機構系の動作時間を減らして撮影間隔を短くするのが狙いであるが、絞り込み測光では、測光センサに届く光が少なくなり、低輝度側の測光が不利であり、測光可能範囲が減る方向である。
【０００９】
更に、上記特許文献３に記載の技術は、積分型センサのみの対応であり、非積分型センサでは用いることができないということと、むやみなゲイン増加はＳ／Ｎが悪くなるという課題を有している。
【００１０】
したがって本発明は、上記実情に鑑みてなされたものであり、多分割測光センサに於いて、画素が増えても測光システムを肥大化させず、連写への影響を与えることのないカメラを提供することを目的とする。
【課題を解決するための手段】
【００１１】
すなわち、請求項１に記載の発明は、被写界を複数に分割して被写体の輝度を測定する多分割測光センサと、上記多分割測光センサから出力される測光データを記憶する記憶手段と、連続して複数の撮影を行う連続撮影モードの場合に、上記多分割測光センサの画素を複数のグループに分け、１回の撮影では１グループのみの測光データを上記記憶手段から取得し、次の撮影では上記１グループとは別のグループの測光データを上記記憶手段から取得して、上記複数の撮影で上記複数のグループの全ての測光データを上記記憶手段から取得するように制御する制御手段と、を具備したことを特徴とする。
【００１２】
請求項２に記載の発明は、請求項１に記載の発明に於いて、上記制御手段は、上記複数のグループの全ての測光データの取得時に露出パラメータを演算し、シャッタ秒時、絞り値、ＩＳＯ感度の少なくとも１つの撮影パラメータを変更することを特徴とする。
【００１３】
請求項３に記載の発明は、請求項１に記載の発明に於いて、上記制御手段は、連続して複数の撮影を行わない非連続撮影モードの場合は、１回の撮影で上記多分割測光センサの全画素データを上記記憶手段から取得するように制御することを特徴とする。
【００１４】
請求項４に記載の発明は、請求項１に記載の発明に於いて、上記複数の撮影の間隔設定時間を検出する検出手段を更に具備し、上記制御手段は、上記検出手段で検出された撮影間隔が所定時間より短い場合は、上記連続撮影モードの場合の制御を行い、上記撮影間隔が上記所定時間より長い場合は、１回の撮影で上記多分割測光センサの全画素データを上記記憶手段から取得するように制御することを特徴とする。
【００１５】
請求項５に記載の発明は、請求項１に記載の発明に於いて、撮影の連続性を判定する判定手段を更に具備し、上記制御手段は、上記連続撮影モードの場合に、上記判定手段により連続性が失われたと判定された時点で、１回の撮影で上記多分割測光センサの全画素データを上記記憶手段から取得するように切り替えて制御することを特徴とする。
【００１６】
請求項６に記載の発明は、請求項１に記載の発明に於いて、上記制御手段は、初回の撮影では上記多分割測光センサの全画素データを１回で上記記憶手段から取得し、２駒目以降の撮影では上記連続撮影モードの場合の制御を行うことを特徴とする。
【００１７】
請求項７に記載の発明は、請求項１に記載の発明に於いて、上記制御手段は、連続撮影の速度若しくは撮影間隔に応じて、上記複数のグループの数を増減させることを特徴とする。
【００１８】
請求項８に記載の発明は、撮影操作を実行するための撮影操作手段と、上記撮影操作手段が操作されている間に被写界を複数に分割して被写体の輝度を測定する多分割測光センサと、上記多分割測光センサの出力を記憶する記憶手段と、上記被写体の像を撮像する撮像素子と、上記撮影操作手段が操作されている間であって、連続的に複数の撮影を行う連続撮影モードの場合に、上記多分割測光センサの画素を複数のグループに分け、１回目の撮影では第１グループのみの測光データを上記記憶手段から取得し、上記１回目に続く撮影では上記第１グループとは異なる少なくとも１つのグループの測光データを上記記憶手段から取得して、上記複数の撮影で上記複数のグループの全ての測光データを上記記憶手段から取得するように制御する制御手段と、を具備したことを特徴とする。
【００１９】
請求項９に記載の発明は、請求項８に記載の発明に於いて、上記制御手段は、上記複数のグループの全ての測光データの取得時に露出パラメータを演算し、シャッタ秒時、絞り値、ＩＳＯ感度の少なくとも１つの撮影パラメータを変更することを特徴とする。
【００２０】
請求項１０に記載の発明は、請求項８に記載の発明に於いて、上記制御手段は、上記撮影操作手段が操作されている間に連続的に複数の撮影を行わない非連続撮影モードの場合は、上記１回目の撮影で上記多分割測光センサの全画素データを上記記憶手段から取得するように制御することを特徴とする。
【００２１】
請求項１１に記載の発明は、請求項８に記載の発明に於いて、上記所定時間内に撮影された駒数をカウントする計数手段を更に具備し、上記制御手段は、上記計数手段でカウントされた撮影駒数が所定駒数より多い場合は、上記連続撮影モードの場合の制御を行い、上記撮影駒数が上記所定駒数より少ない場合は、上記１回目の撮影で上記多分割測光センサの全画素データを上記記憶手段から取得するように制御することを特徴とする。
【００２２】
請求項１２に記載の発明は、請求項８に記載の発明に於いて、上記所定時間内の撮影の間隔を検出する検出手段を更に具備し、上記制御手段は、上記検出手段で検出された撮影間隔が所定時間より短い場合は、上記連続撮影モードの場合の制御を行い、上記撮影間隔が上記所定時間より長い場合は、上記１回目の撮影で上記多分割測光センサの全画素データを上記記憶手段から取得するように制御することを特徴とする。
【００２３】
請求項１３に記載の発明は、請求項８に記載の発明に於いて、撮影の連続性を判定する判定手段を更に具備し、上記制御手段は、上記連続撮影モードの場合に、上記判定手段により連続性が失われたと判定された時点で、上記１回目の撮影で上記多分割測光センサの全画素データを上記記憶手段から取得するように切り替えて制御することを特徴とする。
【００２４】
請求項１４に記載の発明は、請求項８に記載の発明に於いて、上記制御手段は、初回の撮影では上記多分割測光センサの全画素データを１回で上記記憶手段から取得し、２駒目以降の撮影では上記連続撮影モードの場合の制御を行うことを特徴とする。
【００２５】
請求項１５に記載の発明は、請求項８に記載の発明に於いて、上記制御手段は、連続撮影の速度若しくは撮影間隔に応じて、上記複数のグループの数を増減させることを特徴とする。
【発明の効果】
【００２６】
本発明によれば、多分割測光センサに於いて、画素が増えても測光システムを肥大化させず、連写への影響を与えることのないカメラを提供することができる。
【発明を実施するための最良の形態】
【００２７】
以下、図面を参照して、本発明の実施形態を説明する。
【００２８】
図１は、本発明の一実施形態に係るデジタル一眼レフカメラの電気系のシステム構成を示すブロック図である。
【００２９】
図１に於いて、このカメラシステムは、ボディユニット１０と、アクセサリ装置として、例えば交換可能なレンズユニット（すなわちレンズ鏡筒）１１と、通信コネクタ１６を介して撮影した画像データを記録しておく記録メディア１２と、ストロボ通信コネクタ１７を介して外付けのストロボユニット１３とを有して構成されている。
【００３０】
上記レンズユニット１１は、上記ボディユニット１０の前面に設けられた、図示されないレンズマウントを介して着脱自在に装着可能である。そして、上記レンズユニット１１は、撮影レンズ２１ａ及び２１ｂと、絞り２２と、レンズ駆動機構２３と、絞り駆動機構２４と、レンズ制御用マイクロコンピュータ（以下、Ｌμｃｏｍと略記する）２５とから構成されている。
【００３１】
上記撮影レンズ２１ａ及び２１ｂは、レンズ駆動機構２３内に存在する図示されないＤＣモータによって、光軸方向に駆動される。絞り２２は、絞り駆動機構２４内に存在する図示されないステッピングモータによって駆動される。また、Ｌμｃｏｍ２５は、上記レンズ駆動機構２３や絞り駆動機構２４等、レンズユニット１１内の各部を駆動制御する。このＬμｃｏｍ２５は、通信コネクタ１５を介して、後述するボディ制御用マイクロコンピュータ５０と電気的に接続がなされ、該ボディ制御用マイクロコンピュータ５０の指令に従って制御される。
【００３２】
一方、ボディユニット１０は、以下のように構成されている。
【００３３】
レンズユニット１１内の撮影レンズ２１ａ及び２１ｂ、絞り２２を介して入射される図示されない被写体からの光束は、クイックリターンミラー３０で反射されて、フォーカシングスクリーン３１、ペンタプリズム３２を介して接眼レンズ３３に至る。
【００３４】
上記クイックリターンミラー３０の中央部はハーフミラーになっており、該クイックリターンミラー３０がダウン（図示の位置）した際に一部の光束が透過する。そして、この透過した光束は、クイックリターンミラー３０に設置されたサブミラー３５で反射され、自動測距を行うためのＡＦセンサユニット３６に導かれる。尚、上記クイックリターンミラー３０のアップ時には、サブミラー３５は折り畳まれるようになっている。
【００３５】
上記クイックリターンミラー３０の後方には、光軸上のフォーカルプレーン式のシャッタユニット４１と、光学系を通過した被写体像を光電変換するための撮像素子（ＣＣＤ）４３を収容した撮像ユニット４２とを備えた撮像モジュール４０が設けられている。図示されないが、クイックリターンミラー３０が光路より退避した場合、撮影レンズ２１ａ及び２１ｂを通った光束は、撮像モジュール４０内の撮像素子４３に結像される。
【００３６】
このボディユニット１０は、また、上記撮像モジュール４０内の撮像素子４３に接続された撮像素子インターフェイス回路４５と、記憶領域として設けられたＳＤＲＡＭ４７と、液晶モニタ４８及び上記通信コネクタ１６を介して記録メディア１２とが、画像処理を行うための画像処理コントローラ４６に接続されている。これらは、電子撮像機能と共に電子記録表示機能を提供できるように構成されている。
【００３７】
上記記録メディア１２は、各種のメモリカードや外付けのハードディスクドライブ（ＨＤＤ）等の外部記録媒体であり、通信コネクタ１６を介してカメラのボディユニット１０と通信可能、且つ交換可能に装着される。
【００３８】
上記画像処理コントローラ４６は、通信コネクタ１５と、測光回路５１と、ミラー駆動機構５２と、ＡＦセンサ駆動回路５３と、シャッタ駆動制御回路５４と、不揮発性メモリ（ＥＥＰＲＯＭ）５７等と共に、このボディユニット１０内の各部を制御するためのボディ制御用マイクロコンピュータ（以下、Ｂμｃｏｍと略記する）５０に接続されている。このＢμｃｏｍ５０は、連写時の撮影間隔を計測する図示されないタイマを有しているもので、カメラの全体の動作を制御する制御手段の他、計数手段、検出手段、判定手段、演算手段等の機能を有している。
【００３９】
上記Ｂμｃｏｍ５０には、当該カメラの動作状態を表示出力によって撮影者へ告知するための動作表示用ＬＣＤ５８と、カメラ操作スイッチ（ＳＷ）５９と、電源回路６０を介して電池６１とが接続されている。
【００４０】
尚、上記Ｂμｃｏｍ５０とＬμｃｏｍ２５とは、レンズユニット１１の装着時に於いて、通信コネクタ１５を介して通信可能に電気的接続がなされる。そして、デジタルカメラとしてＬμｃｏｍ２５がＢμｃｏｍ５０に従属的に協働しながら稼動するようになっている。
【００４１】
上記測光回路５１は、上記ペンタプリズム３２からの光束に基づいて測光処理する回路である。この測光回路５１内に、被写界を複数に分割して被写体輝度を測定する多分割測光センサを有している。上記ミラー駆動機構５２はクイックリターンミラー３０を駆動制御する機構であり、ＡＦセンサ駆動回路５３は上記ＡＦセンサユニット３６を駆動制御するための回路である。また、シャッタ駆動制御回路５４は、上記シャッタユニット４１の図示されない先幕と後幕の動きを制御すると共に、Ｂμｃｏｍ５０との間でシャッタの開閉動作を制御する信号とストロボと同調する信号の授受を行う。
【００４２】
不揮発性メモリ５７は、その他の記憶領域として、カメラ制御に必要な所定の制御パラメータを記憶する記憶手段であり、Ｂμｃｏｍ５０からアクセス可能に設けられている。
【００４３】
動作表示用ＬＣＤ５８は、当該カメラの動作状態を表示出力によって撮影者へ告知するためのものである。上記カメラ操作スイッチ５９は、例えば撮影動作の実行を指示するレリーズスイッチ、撮影モードと画像表示モードを切り替えるモード変更スイッチ及びパワースイッチ等、当該カメラを操作するために必要な操作釦（撮影操作手段）を含むスイッチ群で構成される。
【００４４】
更に、電源回路６０は、電源としての電池６１の電圧ＶE を、当該カメラシステムの各回路ユニットが必要とする電圧ＶC に変換して供給するために設けられている。
【００４５】
ストロボユニット１３は、ストロボ制御用マイクロコンピュータ６５と、閃光発光部６６と、発光制御回路６７及び電池６８とから成っている。そして、このストロボユニット１３は、ストロボ通信コネクタ１７を介して、ボディユニット１０と通信可能に装着可能である。これらの発光信号は、発光モードに応じて出力される。
【００４６】
このように構成されたデジタルカメラの各部は、次のように稼動する。
【００４７】
先ず、画像処理コントローラ４６により、Ｂμｃｏｍ５０の指令に従って撮像素子インターフェイス回路４５が制御されて、撮像モジュール４０から画像データが取り込まれる。この画像データは、一時保管用メモリであるＳＤＲＡＭ４７に取り込まれる。このＳＤＲＡＭ４７は、画像データが変換される際のワークエリア等に使用される。また、この画像データは、ＪＰＥＧデータに変換された後には、記録メディア１２に保管されるように設定されている。
【００４８】
ミラー駆動機構５２は、上述したように、クイックリターンミラー３０をアップ（ＵＰ）位置とダウン（ＤＯＷＮ）位置へ駆動するための機構である。ミラー駆動機構５２によってクイックリターンミラー３０がダウン位置にある時、撮影レンズ２１ａ及び２１ｂからの光束は、ＡＦセンサユニット３６側とペンタプリズム３２側へと分割されて導かれる。
【００４９】
ＡＦセンサユニット３６内のＡＦセンサからの出力は、ＡＦセンサ駆動回路５３を介してＢμｃｏｍ５０へ送信されて、周知の測距処理が行われる。
【００５０】
一方、ペンタプリズム３２に隣接する接眼レンズ３３からは、撮影者が被写体を目視できる。また、上記ペンタプリズム３２を通過した光束の一部は、測光回路５１内のホトセンサ（図示せず）へ導かれ、ここで検知された光量に基づいて周知の測光処理が行われる。
【００５１】
シャッタ駆動制御回路５４では、Ｂμｃｏｍ５０からシャッタを駆動制御するための信号が受取られると、その信号に基づいてシャッタユニット４１が制御される。シャッタ駆動制御回路５４では、Ｂμｃｏｍ５０からシャッタを駆動制御するための信号が受取られると、その信号に基づいてシャッタユニット４１が制御される。それと共に、所定のタイミングでストロボ通信コネクタ１７を介してストロボ制御用マイクロコンピュータ６５及び発光制御回路６７に、ストロボを発光させるための発光信号が出力される。Ｂμｃｏｍ５０からは、上記発光信号に基づいて、通信により発光モードに応じた発光指令信号が出力される。
【００５２】
また、撮影者によって上述したカメラ操作スイッチ５９の中のモード変更スイッチが操作されて、撮影モードから画像表示モードへ切り換えられると、記録メディア１２に保管された画像データが読み出されて、液晶モニタ４８に表示可能である。記録メディア１２から読み出された画像データは、画像処理コントローラ４６に於いてビデオ信号に変換され、液晶モニタ４８にて出力表示される。
【００５３】
次に、図２を参照して、連写について説明する。
【００５４】
いま、図２（ａ）に示されるような構図に於いて、連続的に撮影を行うと、図２（ｂ）に示されるように、被写体であるボールの動きが複数駒に渡って撮影される。このため、高速で移動する被写体や、被写体の動きを記録に残したい場合等に連写による撮影が行われる。
【００５５】
連写では、撮影間隔が短いほど単位時間当たりの撮影数が多くなり、少ないシャッタチャンスを捕らえる確率が高くなる。ここで、撮影の合間に行われる測光センサのデータ処理時間が長くなると、撮影間隔が長くなるため、単位時間当たりの撮影枚数が増やせないということがおきる。
【００５６】
一方、測光センサは、被写界を複数のエリアに分割して測光を行う多分割測光が、現在主流となっている。多分割測光は、分割数を増やすことで、測光が安定する、苦手被写体が減る、という利点がある。
【００５７】
図３は、こうした多分割測光センサの例を示した図であり、分割数によって画面内の被写体がどのように測光されるかを示したものである。
【００５８】
図３（ａ）〜（ｃ）は２分割測光センサの例を示しており、（ａ）は画面７０内の２分割の例を示した図、（ｂ）は画面７０内の中心に被写体７１が存在する例を示した図、（ｃ）は被写体７１が画面７０の中心に存在しない例を示した図である。また、図３（ｄ）〜（ｆ）は９分割測光センサの例を示しており、（ｄ）は画面７０内の９分割の例を示した図、（ｅ）は画面７０内の中心に被写体７１が存在する例を示した図、（ｆ）は被写体７１が画面７０の中心に存在しない例を示した図である。更に、図３（ｇ）〜（ｉ）は４８分割測光センサの例を示しており、（ｇ）は画面７０内の４８分割の例を示した図、（ｈ）は画面７０内の中心に被写体７１が存在する例を示した図、（ｉ）は被写体７１が画面７０の中心に存在しない例を示した図である。
【００５９】
尚、図３（ａ）、（ｄ）、（ｇ）に於いて、画面７０内の数字は画素番号を表しているものとする。
【００６０】
背景と被写体の輝度差が大きい場合、被写体に輝度をあわせて露出をすることを考えると、分割数が少ないと、被写体の位置により測光データが変化することがわかる。測光センサが２分割の場合は、被写体７１が画面７０の中心に存在すれば（図３（ｂ））、画素（番号）２は被写体７１の明るさを見ており、画素１は背景を見ていることになる。
【００６１】
ところが、画面７０の中心を外れると、被写体７１と背景の割合が位置によって変わってしまう。例えば、背景が明るく被写体７１が暗い場合、被写体７１が中心から離れるほど、画素２のデータは明るいと判断されることになる。このように、画面内の被写体の位置により、露出が変わってしまうということが生じる。
【００６２】
一方、図３（ｇ）〜（ｉ）に示されるような４８分割の測光センサの例では、１画素に被写体、或いは背景の大部分が測光される。そして、被写体７１が移動しても、ある１画素が被写体から背景を測光することになるだけであり、どの画素が被写体を測光しているか判定することができれば、被写体に合わせて露出をすることも可能になる。
【００６３】
図３（ｄ）〜（ｆ）に示される９分割の測光センサの場合も、２分割の測光センサに比べると若干改善はされるが、被写体位置により露出が変わる。すなわち、測光センサは、分割数が大きいほど被写体の露出を的確に捉えることができ、安定した露出を行うことができる、ということがわかる。
【００６４】
ところが、測光センサの分割数が増えると、測光センサの処理時間が増加する。
【００６５】
図４は、測光センサの分割数と処理時間の関係について説明する図である。
【００６６】
図４（ａ）及び（ｂ）に示されるように、測光センサを多画素、この場合４８画素（６行×８画素）にすると、その画素をデータとして読み出すには、画素数分の時間が必要となる。
【００６７】
この場合、被写体７１及び背景７２について、図４（ｃ）に示されるように、４８個の画素に対応して１〜４８の受光素子７５のそれぞれから信号が読み出される。そして、電圧変換部７６を介して切替部７７を介し、更にＡ／Ｄ変換回路７８を経て測光演算露光制御部７９へ供給される。このため、従来通りの読み出し方法では、画素増加は、その数の分だけ読み出し時間を要するので、撮影間隔を短くすることへの障害となる。
【００６８】
ここで、多分割と被写体輝度について、図５を参照して説明する。
【００６９】
同じ輝度変化であっても、撮影間隔が短くなればなるほど、撮影駒当たりの輝度変化は小さくなる。例えば、図５（ａ）に示されるように、連続撮影速度が３駒／１秒（１Ｓ）の場合の輝度変化はΔＥＶ（３）である。そして、図５（ｂ）に示されるように、連続撮影速度が９駒／１秒の場合の輝度変化はΔＥＶ（９）であり、３駒の場合のΔＥＶ（３）に比べて小さいものとなっている（ΔＥＶ（３）＞ΔＥＶ（９））。
【００７０】
このことを考慮して、連写時の撮影速度を落とさずに、被写体に対する測光を追従させる方法について、図６を参照して説明する。
【００７１】
図６（ａ）は一般的な測光の制御を示しており、図６（ｂ）は本発明による測光の制御を示している。
【００７２】
図６（ａ）に示されるように、一般には、撮影毎に全画素の測光データが処理されている。そのため、画素が増加した場合、増加した画素の分だけ処理速度が増加する制御となっている。
【００７３】
これに対し、本発明では、図６（ｂ）に示されるように、撮影間隔に関係のない撮影の最初は、４８画素から出力されるデータＡが取得され、そのデータＡを基に露光動作が行われる。次いで、２駒目、３駒目も上記データＡを基に露光動作が行われる。ここで、２駒目の前の測光では、全４８画素ではなく画素１〜１６についての測光データＢが取得される。同様に、３駒目では画素１７〜３２の測光データＣが取得される。更に、４駒目の撮影前測光では、画素３３〜４８の測光データＤが取得される。そして、４駒目では、データＢ、Ｃ、Ｄの３つのデータから演算された露出が用いられる。５駒目以降は、同様にして３駒おきに露出が更新される。
【００７４】
このようにすることにより、画素数が増加しても連写速度を速くすることができる。そして、３駒おきに全画素を測光するという方法と比べると、測光するときに連写間隔が広くなってしまうという違和感が発生することもない。
【００７５】
また、更に連写速度を速くする場合、例えば、図６（ｂ）に示される例よりも連写速度を２倍にするという場合は、３駒毎の露出変更から６駒毎に露出変更するようにしてもよい。この場合、上述した図５を参照した説明から、露出変更するまでの駒数を増やしても影響は少なくなる。そして、１回の測光を図６（ｂ）に示される例では１６画素行っていたのを８画素に減らすことで、１回の測光データ処理時間を半分にすることにより、対応可能となる。
【００７６】
次に、図７及び図８のフローチャートを参照して、連写モードをユーザが設定可能なカメラの撮影動作について説明する。
【００７７】
撮影シーケンスが開始されると、先ずステップＳ１にて連写モードであるか否かが判定される。ここで、連写モードでない場合はステップＳ４へ移行し、連写モードである場合はステップＳ２へ移行する。
【００７８】
ステップＳでは、１秒間の駒数が１０以下であるか否かが判定される。ここで、１０駒以下であればステップＳ４へ移行し、１１駒を超える数であればステップＳ３へ移行する。そして、ステップＳ３では、１秒間の駒数が１１〜２０であるか否かが判定される。ここで、駒数が１１〜２０であればステップＳ５へ移行し、２０駒を超える数（例えば２０〜４０）であればステップＳ６へ移行する。
【００７９】
ステップＳ４〜Ｓ６では、１秒間当たりの駒数に応じて、それぞれのフラグがセットされる。すなわち、ステップＳ４では測光画素グループ１として、露出の更新が毎回行われることを表す“１”がＳＤＲＡＭ４７のフラグＮＵＭにセットされる。同様に、ステップＳ５では測光画素グループ２として、露出の更新が撮影の２回おきで行われることを表す“２”がフラグＮＵＭにセットされる。更に、ステップＳ６では測光画素グループ４として、露出の更新が撮影４回おきに行われることを表す“４”がフラグＮＵＭにセットされる。
【００８０】
図９は、こうした測光画素グループの例を示したもので、（ａ）はグループ数１の例を示した図、（ｂ）及び（ｃ）はグループ数２の例を示した図、（ｄ）〜（ｇ）はグループ数４の例を示した図である。図９に於いては、番号が示されている画素が測光データを取得する画素を表しているものとする。
【００８１】
上記ステップＳ４〜Ｓ６の動作実行後は、ステップＳ７へ移行する。
【００８２】
ステップＳ７では、初期化が行われる。ここでは、フラグＮＵＭＡに“ＮＵＭ”が、ＮＵＭＢに“１”が、それぞれセットされる。次いで、ステップＳ８では、カメラ操作スイッチ５９内の撮影操作手段であるレリーズスイッチがオンされる。
【００８３】
そして、ステップＳ９に於いては、測光のフラグＮＵＭＢの値が判定される。ここでは、先ず上記ステップＳ７にてフラグＮＵＭＢの値が“１”にセットされているので、ＮＵＭＢ＝でないとしてステップＳ１０へ移行する。このステップＳ１０では、１回目の測光であるので全画素による測光が行われる。次いで、ステップＳ１１にてフラグＮＵＭＢに“０”がセットされる。その後、ステップＳ２１へ移行する。
【００８４】
ステップＳ１２〜Ｓ１５では、フラグＮＵＭの値が判定される。ここでは、先ず測光画素グループ数が４の場合を例にとって説明する。
【００８５】
この場合、上記ステップＳ６に於いて、測光画素グループ数４を表すフラグＮＵＭ＝４がセットされている。したがって、フラグＮＵＭの値が“４”であるのでステップＳ１６へ移行し、上記ステップＳ６に対応したグループ、この場合グループ数４のうち、例えば図９（ｇ）に示されるようなグループによる測光が行われる。その後、ステップＳ２０へ移行して現在のフラグＮＵＭの値がデクリメント（“３”がセット）される。
【００８６】
次に、ステップＳ２１では、絞り値、シャッタ速度、ＩＳＯ感度が決定される。そして、ステップＳ２２ではオートフォーカス動作が実行される。
【００８７】
更に、ステップＳ２３にてクイックリターンミラー３０が図示されないアップ位置へ退避されると、ステップＳ２４にてシャッタユニット４１により、所定時間シャッタが開かれて露光が開始される。次いで、ステップＳ２５にてシャッタが閉じられた後、ステップＳ２６にてクイックリターンミラー３０がダウン位置へ移動される。
【００８８】
そして、ステップＳ２７に於いて、フラグＮＵＭの値が判定される。ここで、ＮＵＭ＝０であればステップＳ３１へ移行し、そうでなければステップＳ２８へ移行する。いま、測光画素グループ数が４でＮｏ．４グループ測光（ステップＳ１６）が行われた後であるので、フラグＮＵＭ＝３である。したがって、ステップＳ３１へ移行してレリーズ解除か否かが判定される。
【００８９】
ステップＳ３１にてまだレリーズを解除していなければ連写を続けるので、上記ステップＳ９へ移行する。このステップＳ９では、上記ステップＳ１１にてＮＵＭＢ＝０とセットされたので、再度ステップＳ１２〜Ｓ１５によるフラグＮＵＭの値が判定される。
【００９０】
ここでは、フラグＮＵＭが“３”であるので、ステップＳ１７へ移行して、グループ数４のうち、例えば図９（ｆ）に示されるようなグループによる測光が行われる。その後、ステップＳ２０へ移行して現在のフラグＮＵＭの値がデクリメント（“２”がセット）される。
【００９１】
次に、ステップＳ２１にて、絞り値、シャッタ速度、ＩＳＯ感度が決定され、ステップＳ２２にてオートフォーカス動作が実行される。更に、ステップＳ２３にてクイックリターンミラー３０がアップされ、ステップＳ２４にてシャッタ開により露光が開始される。次いで、ステップＳ２５にてシャッタが閉じられた後、ステップＳ２６にてクイックリターンミラー３０がダウンされる。
【００９２】
そして、ステップＳ２７に於いて、フラグＮＵＭの値が判定される。ここでは、測光画素グループ数が４でＮｏ．３グループ測光（ステップＳ１７）が行われた後であるので、フラグＮＵＭ＝２である。したがって、ステップＳ３１へ移行してレリーズ解除か否かが判定される。
【００９３】
ステップＳ３１にてまだレリーズを解除していなければ連写を続けるので、上記ステップＳ９へ移行する。このステップＳ９では、上記ステップＳ１１にてＮＵＭＢ＝０とセットされたので、再度ステップＳ１２〜Ｓ１５によるフラグＮＵＭの値が判定される。
【００９４】
ここでは、フラグＮＵＭ＝２であるので、ステップＳ１８へ移行して、グループ数４のうち、例えば図９（ｅ）に示されるようなグループによる測光が行われる。その後、ステップＳ２０へ移行して現在のフラグＮＵＭの値がデクリメント（“１”がセット）される。
【００９５】
次に、ステップＳ２１にて、絞り値、シャッタ速度、ＩＳＯ感度が決定され、ステップＳ２２にてオートフォーカス動作が実行される。更に、ステップＳ２３にてクイックリターンミラー３０がアップされ、ステップＳ２４にてシャッタ開により露光が開始される。次いで、ステップＳ２５にてシャッタが閉じられた後、ステップＳ２６にてクイックリターンミラー３０がダウンされる。
【００９６】
そして、ステップＳ２７に於いて、フラグＮＵＭの値が判定される。ここでは、測光画素グループ数が４でＮｏ．２グループ測光（ステップＳ１８）が行われた後であるので、フラグＮＵＭ＝１である。したがって、ステップＳ３１へ移行してレリーズ解除か否かが判定される。
【００９７】
ステップＳ３１にてまだレリーズを解除していなければ連写を続けるので、上記ステップＳ９へ移行する。このステップＳ９では、上記ステップＳ１１にてＮＵＭＢ＝０とセットされたので、再度ステップＳ１２〜Ｓ１５によるフラグＮＵＭの値が判定される。
【００９８】
ここでは、フラグＮＵＭが“１”であるので、ステップＳ１９へ移行して、グループ数４のうち、例えば図９（ｄ）に示されるようなグループによる測光が行われる。その後、ステップＳ２０へ移行して現在のフラグＮＵＭの値がデクリメント（“０”がセット）される。
【００９９】
次に、ステップＳ２１にて、絞り値、シャッタ速度、ＩＳＯ感度が決定され、ステップＳ２２にてオートフォーカス動作が実行される。更に、ステップＳ２３にてクイックリターンミラー３０がアップされ、ステップＳ２４にてシャッタ開により露光が開始される。次いで、ステップＳ２５にてシャッタが閉じられた後、ステップＳ２６にてクイックリターンミラー３０がダウンされる。
【０１００】
そして、ステップＳ２７に於いて、フラグＮＵＭの値が判定される。ここでは、測光画素グループ数が４でＮｏ．１グループ測光（ステップＳ１９）が行われた後であるのでＮＵＭ＝０である。したがって、ステップＳ２８へ移行する。
【０１０１】
このステップＳ２８では、フラグＮＵＭにＮＵＭＡがセットされる。次いで、ステップＳ２９にて測光値が更新された後、ステップＳ３０にて絞り値、シャッタ速度、ＩＳＯ感度が決定される。そして、ステップＳ３１に於いて、レリーズ解除か否かが判定される。その結果、レリーズを解除していなければ上記ステップＳ９へ移行し、解除していれば本シーケンスが終了する。
【０１０２】
尚、上記ステップＳ１２〜Ｓ１５に於いて、フラグＮＵＭ＝０の場合は、ステップＳ２０をスキップしてステップＳ２１へ移行する。
【０１０３】
次に、測光画素グループ数が２の場合を例にとって説明する。
【０１０４】
この場合、上記ステップＳ５に於いて、測光画素グループ数２を表すフラグＮＵＭ＝２がセットされている。したがって、ステップＳ１２〜Ｓ１５に於いて、フラグＮＵＭの値が“２”であるステップＳ１８へ移行して、上記ステップＳ５に対応したグループ、この場合グループ数２のうち、例えば図９（ｃ）に示されるようなグループによる測光が行われる。その後、ステップＳ２０へ移行して現在のフラグＮＵＭの値がデクリメント（“１”がセット）される。
【０１０５】
ステップＳ２１〜Ｓ３１は、上述した測光画素グループ数４の例と同様であるので説明は省略する。ステップＳ３１にて、まだレリーズを解除していなければ連写を続けるので、上記ステップＳ９へ移行する。このステップＳ９では、上記ステップＳ１１にてＮＵＭＢ＝０とセットされたので、再度ステップＳ１２〜Ｓ１５によるフラグＮＵＭの値が判定される。
【０１０６】
ここでは、フラグＮＵＭが“１”であるので、ステップＳ１９へ移行して、グループ数２のうち、例えば図９（ｂ）に示されるようなグループによる測光が行われる。その後、ステップＳ２０へ移行して現在のフラグＮＵＭの値がデクリメント（“０”がセット）される。
【０１０７】
この後のステップＳ２１〜Ｓ３１は、上述した測光画素グループ数４の例と同様であるので説明は省略する。そして、ステップＳ３１に於いて、レリーズが解除されていれば本シーケンスが終了する。
【０１０８】
測光画素グループ数が１の場合を例にとって説明する。
【０１０９】
この場合、上記ステップＳ４に於いて、測光画素グループ数１を表すフラグＮＵＭ＝１がセットされている。したがって、ステップＳ１２〜Ｓ１５に於いて、フラグＮＵＭの値が“１”であるステップＳ１９へ移行して、上記ステップＳ４に対応したグループ、この場合グループ数１により、図９（ａ）に示されるような全画素による測光が行われる。この後のステップＳ２０〜Ｓ３１は、上述した測光画素グループ数４及びグループ数２の例と同様であるので説明は省略する。そして、ステップＳ３１に於いて、レリーズが解除されていれば本シーケンスが終了する。
【０１１０】
尚、多分割測光センサのグループは、図６に於いては３つのグループに分けた例を示したが、上、中、下のような分割に限られるものではない。
【０１１１】
図９に示される例では、データ取得する画素を、なるべく画面に均等にグループ分けしているが、更にランダムに組み合わせることも可能である。また、グループ数も１、２、４の例について説明したが、これに限られるものではない。
【０１１２】
また、上述した実施形態では、１秒間当たりの駒数によってグループ数を決定していたが、これに限られずに所定時間内の撮影間隔に基づいてグループ数を決定するようにしてもよい。
【０１１３】
以上、本発明の実施形態について説明したが、本発明は上述した実施形態以外にも、本発明の要旨を逸脱しない範囲で種々の変形実施が可能である。
【図面の簡単な説明】
【０１１４】
【図１】本発明の一実施形態に係るデジタル一眼レフカメラの電気系のシステム構成を示すブロック図である。
【図２】連写について説明する図である。
【図３】多分割測光センサの例を示したもので、分割数によって画面内の被写体がどのように測光されるかを示した図である。
【図４】測光センサの分割数と処理時間の関係について説明する図である。
【図５】多分割と被写体輝度について説明する図である。
【図６】連写時の撮影速度を落とさずに、被写体に対する測光を追従させる方法について説明する図である。
【図７】連写モードをユーザが設定可能なカメラの撮影動作について説明するフローチャートである。
【図８】連写モードをユーザが設定可能なカメラの撮影動作について説明するフローチャートである。
【図９】測光画素グループの例を示したもので、（ａ）はグループ数１の例を示した図、（ｂ）及び（ｃ）はグループ数２の例を示した図、（ｄ）〜（ｇ）はグループ数４の例を示した図である。
【符号の説明】
【０１１５】
１０…ボディユニット、１１…レンズユニット、１２…記録メディア、１３…ストロボユニット、２１ａ、２１ｂ…撮影レンズ、２２…絞り、…レンズ駆動機構、２４…絞り駆動機構、２５…レンズ制御用マイクロコンピュータ（Ｌμｃｏｍ）、３０…クイックリターンミラー、３１…フォーカシングスクリーン、３２…ペンタプリズム、３３…接眼レンズ、３５…サブミラー、４０…撮像モジュール、４１…シャッタユニット、４２…撮像ユニット、４３…撮像素子（ＣＣＤ）、４５…撮像素子インターフェイス回路、４６…画像処理コントローラ、４７…ＳＤＲＡＭ、４８…液晶モニタ、５０…ボディ制御用マイクロコンピュータ（Ｂμｃｏｍ）、５１…測光回路、５２…ミラー駆動機構、５３…ＡＦセンサ駆動回路、５４…シャッタ駆動制御回路、５７…不揮発性メモリ（ＥＥＰＲＯＭ）、５８…動作表示用ＬＣＤ、５９…カメラ操作スイッチ（ＳＷ）、６０…電源回路、６１…電池、７０…画面、７１…被写体。
【図１】
2006106200.tif 000003
【図２】
2006106200.tif 000004
【図３】
2006106200.tif 000005
【図４】
2006106200.tif 000006
【図５】
2006106200.tif 000007
【図６】
2006106200.tif 000008
【図７】
2006106200.tif 000009
【図８】
2006106200.tif 000010
【図９】
2006106200.tif 000011